(57)【要約】【課題】  両面原稿読取時および片面原稿読取時の両方において、最適なシェーディング補正用データの取得を装置の構成を複雑にすることなく実現することが可能になる。【解決手段】  原稿読み取りに係るシェーディング補正を行うための補正用データを取得する第１センサ２０および第２センサ２２と、これらにて取得され、両面読取モードにおけるシェーディング補正に用いられる第１補正用データを格納する第１格納部２４と、片面読取モードにおけるシェーディング補正に用いられる第２補正用データを格納する第２格納部２６と、読取モードを判別するモード判別部３０と、判別された読取モードにしたがって第１格納部２４または第２格納部２６のいずれかを選択してアクセスして、補正用データを取り出す補正用データ取出部２８と、取り出された補正用データを用いてシェーディング補正を行うシェーディング補正部３４と、を含む。【選択図】  図１
2006033424.tif 000002
【特許請求の範囲】
【請求項１】
原稿を読み取って画像データを生成する画像読取装置において、
前記原稿読み取りに係るシェーディング補正を行うための補正用データを取得する補正用データ取得部と、
前記補正用データ取得部にて取得され、両面読取モードにおけるシェーディング補正に用いられる第１補正用データを格納する第１格納部と、
前記補正用データ取得部にて取得され、片面読取モードにおけるシェーディング補正に用いられる第２補正用データを格納する第２格納部と、
読取モードを判別するモード判別部と、
前記判別された読取モードにしたがって前記第１格納部または前記第２格納部のいずれかを選択してアクセスして、補正用データを取り出す補正用データ取出部と、
前記取り出された補正用データを用いてシェーディング補正を行うシェーディング補正部と、を含む画像読取装置。
【請求項２】
請求項１に記載の画像読取装置において、
前記原稿を搬送するためのワンパス型の経路を有する搬送系をさらに設けて、
前記補正用データ取得部は、
前記原稿の一方の面の補正用データを取得するための光学系を備えた第１センサと、
前記原稿の他方の面の補正用データを取得するための光学系を備えた第２センサと、
両面読取モード用の補正用データ取得時には前記第１センサおよび前記第２センサの両方を動作させ、片面読取モード用の補正用データ取得時には前記第１センサまたは前記第２センサのいずれか一方を動作させるよう制御するセンサ制御部と、を含むことを特徴とする画像読取装置。
【請求項３】
原稿を読み取って画像データを生成する画像読取装置において、
前記原稿読み取りに係るシェーディング補正を行うための補正用データのうち、当該原稿の一方および他方の両方の読取面に対応するそれぞれの光学系を同時に駆動させた状態で両面読取モード用の第１補正用データを取得する第１補正用データ取得手段と、
前記補正用データのうち、当該原稿の一方または他方のいずれの読取面に対応する光学系を駆動させた状態で片面読取モード用の第２補正用データを取得する第２補正用データ取得手段と、
前記第１補正用データ取得手段にて取得される第１補正用データを格納する第１格納部と、
前記第２補正用データ取得手段にて取得される第２補正用データを格納する第２格納部と、
を含む画像読取装置。
【請求項４】
請求項３に記載の画像読取装置において、
前記原稿の一方の面の補正用データを取得するための光学系を備えた第１センサと、
前記原稿の他方の面の補正用データを取得するための光学系を備えた第２センサと、
両面読取モード用の補正用データ取得時には前記第１センサおよび前記第２センサの両方を動作させ、片面読取モード用の補正用データ取得時には前記第１センサまたは前記第２センサのうち、読取面に対応するいずれか一方を動作させるよう制御するセンサ制御部と、を含むことを特徴とする画像読取装置。
【請求項５】
請求項２または４に記載の画像読取装置において、
前記センサ制御部は、
補正用データの白基準データを取得するときには動作させるセンサの光源をオンにして白基準板または白原稿を読み取るように制御し、黒基準データを取得するときには動作させるセンサの光源をオフにして白基準板または白原稿を読み取るようにすることを特徴とする画像読取装置。
【請求項６】
請求項５に記載の画像読取装置において、
補正用データの白基準データは、各読取モードごとに別々に取得したものを用いて、黒基準データは、両読取モードのいずれかで取得したものを共通で用いることを特徴とする画像読取装置。
【請求項７】
請求項２または４に記載の画像読取装置において、
前記センサ制御部は、
補正用データの白基準データを取得するときには動作させるセンサの光源をオンにして白基準板または白原稿を読み取るように制御し、黒基準データを取得するときには動作させるセンサの光源をオンにして黒基準板または黒原稿を読み取るようにすることを特徴とする画像読取装置。
【発明の詳細な説明】
【技術分野】
【０００１】
本発明は、原稿を読み取って画像データを生成する画像読取装置に関する。
【背景技術】
【０００２】
複写機などにおいて両面原稿を同時に読み取る技術としては、例えば特許文献１に、両面原稿読取時には、片面原稿読取時に比べて原稿に照射する光源の出力を挙げることにより、原稿の読取面のセット方向について意識しなくても所望の原稿画像のみを効率よく取得する技術が開示されている。また、特許文献２には、両面原稿を同時に読み取る際に、一つの読取手段が一つの光源を点灯して片面の原稿を読み取るときよりも、各面の読取手段の読取濃度を下げて、読取濃度を安定化させる技術が開示されている。
【特許文献１】特開平１１−２２５２４６号公報
【特許文献２】特開２００３−３２４４３号公報
【発明の開示】
【発明が解決しようとする課題】
【０００３】
ところで、画像読取装置では、光学的に読み取った画像情報が電気信号に変換され、さらにデジタル信号化される。この画像読取装置では、読取光学系にて読み取った原稿の画像データに様々な補正を施して出力する必要があることが多い。両面の原稿を読み取る場合に、これらの補正の一つとしてシェーディング補正は重要である。
【０００４】
このシェーディング補正は、原稿の画像を忠実に読み取るための画像補正であり、光源等の照明手段の照明ムラ、集束レンズの収差などによる光量ムラ、および受光手段であるイメージセンサの各光電変換素子の感度ムラ等を補正する。
【０００５】
特許文献１，２のいずれにも、シェーディング補正については記載がなく、通常のシェーディング補正が行われていると考えられるが、通常は一つの補正用データを用いて、両面原稿、片面原稿の読取時のシェーディング補正が行われるようになっている。
【０００６】
このような補正用データは、１パスタイプの両面読取装置の場合、以下の二つの方法がある。第１の方法は、一の面、他の面をそれぞれ別々に光学系を駆動させて、すなわち一の面について対応する光学系を駆動させてこの面の補正用データを取得し、その後他の面について対応する光学系を駆動させてこの面の補正用データを取得する方法であり、第２の方法は、両面に対応する光学系を同時に駆動させた状態で両面の補正用データを取得する方法である。
【０００７】
片面読取時は、両方の面の一方に対応する光学系を駆動させて読み取り、両面読取時には、両面の対応するそれぞれの光学系を同時に駆動させて、両面を同時に読み取る。第１の方法で得られた補正用データは、両面同時読取時の補正用データとしては最適ではなく、第２の方法で得られた補正用データは、片面読取時の補正用データとしては最適ではない。
【０００８】
さらに、搬送などに係る駆動系のノイズや電圧降下によって読み取り用光源への供給電圧が変動するため、取得したシェーディング補正用データは実際の画像読取時の駆動系のノイズや電圧降下を考慮したものではなく、このため実際の画像読取時のシェーディング補正に最適ではなかった。
【０００９】
そこで、本発明は上述した実情に鑑みてなされたものであり、両面原稿読取時および片面原稿読取時の両方において、最適なシェーディング補正用データの取得を実現することが可能な画像読取装置を提供することを目的としている。
【課題を解決するための手段】
【００１０】
本発明に係るファクシミリ装置は、原稿を読み取って画像データを生成する画像読取装置において、原稿読み取りに係るシェーディング補正を行うための補正用データを取得する補正用データ取得部と、補正用データ取得部にて取得され、両面読取モードにおけるシェーディング補正に用いられる第１補正用データを格納する第１格納部と、補正用データ取得部にて取得され、片面読取モードにおけるシェーディング補正に用いられる第２補正用データを格納する第２格納部と、読取モードを判別するモード判別部と、判別された読取モードにしたがって第１格納部または第２格納部のいずれかを選択してアクセスして、補正用データを取り出す補正用データ取出部と、取り出された補正用データを用いてシェーディング補正を行うシェーディング補正部と、を含む。
【００１１】
このような構成により、補正用データ取得部では両面読取動作モードのシェーディング補正用の第１補正用データおよび片面読取動作モード用のシェーディング補正用の第２補正用データの両方を取得して、第１補正用データは第１格納部に、第２補正用データは第２格納部にそれぞれ送られる。補正用データ取出部では、動作モードに応じて、最適な補正用データがいずれかの補正用データ格納部から取り出され、シェーディング補正部では、取り出された補正用データを用いてシェーディング補正される。
【００１２】
この画像読取装置において、原稿を搬送するためのワンパス型の経路を有する搬送系をさらに設けて、補正用データ取得部は、原稿の一方の面の補正用データを取得するための光学系を備えた第１センサと、原稿の他方の面の補正用データを取得するための光学系を備えた第２センサと、両面読取モード用の補正用データ取得時には第１センサおよび第２センサの両方を動作させ、片面読取モード用の補正用データ取得時には第１センサまたは第２センサのいずれか一方を動作させるよう制御するセンサ制御部と、を含んでもよい。
【００１３】
これにより、補正用データ取得部では、両面読取モード用の補正用データ取得時には第１および第２センサの両方を動作させて、片面読取モード用の補正用データ取得時には第１または第２センサの読取面に対応するセンサのみを動作させるようにして、補正用データが取得されるようセンサ制御部により第１および第２センサが制御され、両読取モードに対応した補正用データの取得を行うことができる。
【００１４】
また、本発明に係る画像読取装置は、原稿を読み取って画像データを生成する画像読取装置において、原稿読み取りに係るシェーディング補正を行うための補正用データのうち、当該原稿の一方および他方の両方の読取面に対応するそれぞれの光学系を同時に駆動させた状態で両面読取モード用の第１補正用データを取得する第１補正用データ取得手段と、補正用データのうち、当該原稿の一方または他方のいずれの読取面に対応する光学系を駆動させた状態で片面読取モード用の第２補正用データを取得する第２補正用データ取得手段と、第１補正用データ取得手段にて取得される第１補正用データを格納する第１格納部と、第２補正用データ取得手段にて取得される第２補正用データを格納する第２格納部と、を含む。
【００１５】
このような構成により、第１補正用データ取得手段では両面読取動作モードのシェーディング補正用の第１補正用データを取得し、第２補正用データ取得手段では、片面読取動作モードのシェーディング補正用の第２補正用データを取得して、第１補正用データは第１格納部に、第２補正用データは第２格納部にそれぞれ送られる。
【００１６】
この画像読取装置において、原稿の一方の面の補正用データを取得するための光学系を備えた第１センサと、原稿の他方の面の補正用データを取得するための光学系を備えた第２センサと、両面読取モード用の補正用データ取得時には第１センサおよび前記第２センサの両方を動作させ、片面読取モード用の補正用データ取得時には第１センサまたは第２センサのうち、読取面に対応するいずれか一方を動作させるよう制御するセンサ制御部と、を含んでもよい。
【００１７】
これにより、両面読取モード用の補正用データ取得時には第１および第２センサの両方を動作させて、片面読取モード用の補正用データ取得時には第１または第２センサの読取面に対応するセンサのみを動作させるようにして、補正用データが取得されるようセンサ制御部により第１および第２センサが制御され、両読取モードに対応した補正用データの取得を行うことができる。
【００１８】
前記のいずれかの画像読取装置において、補正用データの白基準データは、各読取モードごとに別々に取得したものを用いて、黒基準データは、両読取モードのいずれかで取得したものを共通で用いてもよい。
【００１９】
これにより、補正用データの黒基準データを両読取モードで共通にしてもよいため、両方の読取モードに対応した補正用データ取得を行う必要がなくなる。
【発明の効果】
【００２０】
本発明によれば、両面原稿読取時および片面原稿読取時の両方において、最適なシェーディング補正用データの取得を実現することが可能になる。
【発明を実施するための最良の形態】
【００２１】
以下、本発明に係る画像読取装置の実施形態について、図面を参照しながら詳細に説明する。
図１は、本発明に係る画像読取装置の実施形態の概略を示す図である。
【００２２】
画像読取装置１０は、原稿を読み取って画像データを生成するものであって、原稿を搬送するためのワンパス型の経路を有する後述する搬送系が設けられ、原稿読み取りに係るシェーディング補正を行うための補正用データを取得する補正用データ取得部または第１および第２補正用データ取得手段を後述するセンサ制御部と一緒になって構成する第１センサ２０および第２センサ２２と、前記補正用データ取得部にて取得され、両面読取モードにおけるシェーディング補正に用いられる第１補正用データを格納する第１格納部２４と、前記補正用データ取得部にて取得され、片面読取モードにおけるシェーディング補正に用いられる第２補正用データを格納する第２格納部２６と、読取モードを判別するモード判別部３０と、判別された読取モードにしたがって第１格納部２４または第２格納部２６のいずれかを選択してアクセスして、補正用データを取り出す補正用データ取出部２８と、取り出された補正用データを用いてシェーディング補正を行うシェーディング補正部３４と、を含む。
【００２３】
原稿を搬送する搬送系は、原稿トレイから排紙トレイまで設けられた搬送経路１８と、この搬送経路１８上で、原稿トレイ側より導入ローラ１２、搬送ローラ１４、排紙ローラ１６が設けられている。これら導入ローラ１２、搬送ローラ１４、排紙ローラ１６は、図示されないローラ駆動部により制御されるようになっている。
【００２４】
また、搬送経路１８上であって、導入ローラ１２と排紙ローラ１８との間には、原稿の一方の面、例えば表面を読み取る第１センサ２０および他の面、例えば裏面を読み取る第２センサ２２が設けられている。
【００２５】
第１センサ２０および第２センサ２２は、それぞれ補正用データ取得部を構成し、例えば図２に示したように、第１センサ２０は、搬送されてくる原稿または後述する白基準板４２に照射する光を発生させる光源４０と、光源４０からの光が原稿または白基準板４２に入射し反射して得られる反射光の光軸５２上に設けられるミラー４４，４６，４８と、この反射光を検知する撮像素子であるＣＣＤ（charge coupled device）５０とが設けられる。
【００２６】
光源４０は、原稿の全幅に光照射を行うことができるように、ＬＥＤのような点光源の複数個をこの幅方向に配置してもよいし、蛍光灯のような原稿の幅と同じ程度の長さの線状の光源を配置したものであってもよい。光源４０は、後述するセンサ制御部３２により制御されるようになっている。
【００２７】
白基準板４２は、補正用データの白基準データ取得時に用いられるものであって、原稿の幅と同程度の長さを有する通常白色を有する板であって、均一な光反射特性を有する。
【００２８】
ミラー４４，４６，４８は、例えば全反射する鏡であり、白基準板４２または原稿からの反射光の光路を曲げて、ＣＣＤ５０に導入するように配置される。なお、図２のように３つのミラーで構成されるものとは限らない。
【００２９】
ＣＣＤ５０は、前記反射光を検知して電気信号に変換するものであって、この電気信号を第１センサ２０からの出力として、図１の第１格納部２４および第２格納部２６に送るようになっている。ＣＣＤ５０は、後述するセンサ制御部３２により制御されるようになっている。なお、ＣＣＤ５０に反射光が入光する前にこの反射光を集光するために、レンズを設けてもよい。
【００３０】
ここでは、第１センサ２０の構成を例に挙げて説明したが、これに限定されることはなく、第２センサ２２をこのように構成してもよい。また、第１センサ２０および第２センサ２２は、それぞれ同じ構成であってもよいが、スペースの関係で光学系およびＣＣＤの配置が困難である場合には、例えば密着イメージセンサであるＣＩＳ（Contact Image Sensor）および光源で構成されていてもよい。
【００３１】
図１に戻り、第１格納部２４および第２格納部２６は、第１センサ２０および第２センサ２２からの電気信号を、白基準データまたは黒基準データとして格納する。これら第１格納部２４および第２格納部２６に格納されたデータは、後述するように補正用データ取出部２８からの要求にしたがって取り出されて、補正用データ取出部２８に送られる。なお、格納部はハードウェア的に二つに分けなくても、一つの記憶装置の記憶領域を区切って区切った領域をそれぞれの格納部に割り当てて二つの格納部としてもよい。
【００３２】
モード判別部３０では、原稿の読み取り動作が両面読取であるのか、片面読取であるのかが判別されて、この判別結果が補正用データ取出部２８およびセンサ制御部３２に送られる。
【００３３】
補正用データ取出部２８は、第１格納部２４または第２格納部２６にアクセスして補正用データを取り出すものであり、具体的にはモード判別部３０で判別された読取モードが、両面読取であるときには第１格納部２０から補正用データを取り出してシェーディング補正部３４に送るようにし、片面読取であるときには第２格納部２６から補正用データを取り出してシェーディング補正部３４に送るようにしている。
【００３４】
シェーディング補正部３４では、原稿を読み取って送られる読取データＶinに、補正用データ取出部より送られる補正用データを用いてシェーディング補正を行って、出力データＶoutを得る。シェーディング補正は、一般に下記の式のようになる。
【００３５】
【数１】
2006033424.tif 000003
【００３６】
式中、Ｂは黒基準データ、Ｗは白基準データ、ｎは白〜黒の階調を示すビット数を表す。
【００３７】
センサ制御部３２は、モード判別部３０の判別結果に応じて、例えば両面読取モード用の補正用データ取得時には第１センサ２０および第２センサ２２の両方を動作させ、片面読取モード用の補正用データ取得時には第１センサ２０または第２センサ２２のいずれか一方を動作させるよう制御するように第１センサ２０および第２センサ２２を制御する。また、特に両面読取モード用の補正用データを取得するときに、搬送系の動作によるノイズや電圧降下により第１センサ２０および第２センサ２２の光源の供給電圧が変更することにより各光源の動作にばらつきを、実際の画像読取時のときと近い状態にするようにするために、搬送系を駆動させた状態で第１センサ２０および第２センサ２２を動作させてもよい。これにより、最適なシェーディング補正用データを取得することができるようになる。
【００３８】
図３は、この制御を説明するフローチャートを示す。
ステップＳ１０では、モード判別部３０にて原稿の読取モードが、両面読取であるか否かが判別される。この判別結果がＹＥＳ、すなわち両面読取モードである場合には、ステップＳ２０に進み、センサ制御部３２では、第１センサ２０および第２センサ２２の両方をオン状態にし、ステップＳ４０に進む。
【００３９】
一方、ステップＳ１０の判別結果がＮＯ、すなわち片面読取モードである場合には、ステップＳ３０に進み、センサ制御部３２では、第１センサ２０をオン状態にするとともに、第２センサ２２をオフ状態にし、ステップＳ４０に進む。
【００４０】
ステップＳ４０では、センサ制御部３２では、取得しようとする補正用データが白基準データか否かが判別される。この判別結果がＹＥＳ、すなわち白基準データを取得するものと判別されたときには、各センサの光源をオン状態にして、ステップＳ７０に進む。
【００４１】
一方、ステップＳ４０での判別結果がＮＯ、すなわち黒基準データを取得するものと判別されたときには、各センサの光源をオフ状態にしてステップＳ７０に進む。
【００４２】
ステップＳ７０では、第１センサ２０および第２センサ２２にて補正用データが取得されて、ステップＳ１０で両面読取モードであると判別されたときには第１格納部２４に、またステップＳ１０で片面読取モードであると判別されたときには第２格納部２６に、それぞれ送られる。
【００４３】
ステップＳ８０では、第１格納部２４または第２格納部２６に送られた補正用データが格納されて、補正用データの取得動作にかかるセンサ制御部３２の制御動作は終了する。
【００４４】
図４は、第１格納部２４および第２格納部２６に格納されるデータを説明する図である。
図４に示したように、第１格納部２４には第１センサ２０および第２センサ２２の両方からの補正用データが格納され、第２格納部２６には第１センサ２０でのみ補正用データが取得されて、この補正用データが格納されるようになっている。
【００４５】
なお、片面読取モードの補正用データの取得において、第２センサ２２をオフにしなくともオンにした状態にして、データ格納時に格納の適否を選択するように、センサ制御部３２が制御するようにしてもよい。
【００４６】
また、黒基準データを取得するに際して、データを読み取るセンサの光源をオフにして白基準板を読み取る例を示したが、黒基準板を設けた上でデータ取得時に光源をオンにしてこの黒基準板を読み取ってもよい。
【００４７】
また、白基準データ、黒基準データを原稿以外の基準板からの反射光を検知して取得する例を示したが、これに限定されることはなく、原稿を実際に搬送させて、この原稿の白の部分や黒の部分を読み取って、各色の基準データとしてもよい。
【００４８】
また、黒基準データを両面読取モードと片面読取モードとで別々に取得する例を示したが、両方の読取モードで共通の黒基準データを取得して両方の読取モードでの原稿読取時のこの共通する黒基準データをシェーディング補正に供しても差し支えない。
【００４９】
以上のように、本実施形態に係る画像読取装置によれば、両面原稿読取時および片面原稿読取時の両方において、共通の構成を用いて各構成の動作を読取モードに応じて制御することで両方の読取モードに対応する補正用データを取得することが可能になり、これにより最適なシェーディング補正用データの取得を実現することが可能になる。
【図面の簡単な説明】
【００５０】
【図１】本発明に係る画像読取装置の実施形態の概略を示す図である。
【図２】前記実施形態の補正用データ取得のためのセンサの光学系を示す図である。
【図３】前記実施形態のセンサ制御部における制御を説明するフローチャートを示す。
【図４】前記実施形態における第１格納部および第２格納部に格納されるデータを説明する図である。
【符号の説明】
【００５１】
１０  画像読取装置
１８  搬送経路
２０  第１センサ
２２  第２センサ
２４  第１格納部
２６  第２格納部
２８  補正用データ取出部
３０  モード判別部
３２  センサ制御部
３４  シェーディング補正部
４０  光源
５０  ＣＣＤ
【図１】
2006033424.tif 000004
【図２】
2006033424.tif 000005
【図３】
2006033424.tif 000006
【図４】
2006033424.tif 000007